(57)【特許請求の範囲】
【請求項１】
複数本のワイヤが接続される空気調和機の室外機において、
前記複数本のワイヤを接続する端子板と、該端子板と前記複数のワイヤを固定するワイヤクランパとが取り付けられる端子台を有し、該端子台は端子台板金を有し、
前記ワイヤクランパは、前記端子台板金に取り付けられる長尺形状の下段クランパと、該下段クランパと協働して前記複数本のワイヤの内の下層ワイヤを挟持するよう前記下段クランパに押し付けられる長尺形状の中段クランパと、該中段クランパと協働して前記複数本のワイヤの内の上層ワイヤを挟持するよう前記中段クランパに押し付けられる長尺形状の上段クランパとからなり、
前記下段クランパは、長手方向の両端部にそれぞれ形成されたネジ挿通用の第１の開口と、該第１の開口の間に形成された第１のガイド孔と、前記第１の開口と前記第１のガイド孔との間の上面及び隣り合う前記第１のガイド孔と前記第１のガイド孔の間の上面にそれぞれ形成された第１のワイヤガイド部とを備え、
前記中段クランパは、長手方向の両端部に前記下段クランパの前記第１の開口に対応させて形成されたネジ挿通用の第２の開口と、該第２の開口の間に形成されたネジ挿通用の第３の開口と、該第３の開口の上面に形成された第２のガイド孔と、前記第３の開口の下面に突出して前記下段クランパの前記第１のガイド孔に係合するよう形成された第１のガイド筒体と、前記第２の開口と前記第３の開口の間の下面及び隣り合う前記第３の開口と前記第３の開口の間の下面にそれぞれ形成され前記下段クランパの前記第１のワイヤガイド部とで前記下層ワイヤを挟持する第２のワイヤガイド部と、隣り合う前記第３の開口と前記第３の開口の間の上面にそれぞれ形成された第３のワイヤガイド部とを備え、
前記上段クランパは、長手方向の両端部に前記中段クランパの前記第３の開口に対応させて形成されたネジ挿通用の第４の開口と、該第４の開口の間に前記第３の開口に対応させて形成されたネジ挿通用の第５の開口と、該第５の開口の下面に突出して前記中段クランパの前記第２のガイド孔に係合するよう形成された第２のガイド筒体と、前記第４の開口と前記第２のガイド筒体との間の下面にそれぞれ形成され前記中段クランパの前記第３のワイヤガイド部とで前記上層ワイヤを挟持する第４のワイヤガイド部とを備える、
ことを特徴とする空気調和機の室外機。
【請求項２】
請求項１に記載の空気調和機の室外機において、
前記中段クランパの前記第１のガイド筒体は、前記下段クランパの前記第１のガイド孔に挿通されることにより、その下面が前記端子台板金の上面に当接することを特徴とする空気調和機の室外機。
【請求項３】
請求項１又は２に記載の空気調和機の室外機において、
Ｎを３以上の自然数として前記下段クランパは前記第１のガイド孔をＮ個備え、前記中段クランパは前記第１のガイド筒体をＮ個備えるとともに前記第２のガイド孔をＮ個備え、前記上段クランパは前記第２のガイド筒体をＮ−２個備えることを特徴とする空気調和機の室外機。
【請求項４】
請求項１、２又は３に記載の空気調和機の室外機において、
前記下段クランパは、長手方向の両端に、前記端子台板金に形成された係止孔に係止する弾性爪がそれぞれ形成されていることを特徴とする空気調和機の室外機。
【請求項５】
請求項１、２、３又は４に記載の空気調和機の室外機において、
前記第１乃至第４のワイヤガイド部に前記長手方向に平行な方向に突出するようそれぞれリブが形成されていることを特徴とする空気調和機の室外機。
【請求項６】
請求項５に記載の空気調和機の室外機において、
前記第１のワイヤガイド部の前記リブと前記第２のワイヤガイド部の前記リブは、前記中段クランパが前記下段クランパに組み立てられた状態において平行な方向に互い違いに並び、前記第３のワイヤガイド部の前記リブと前記第４のワイヤガイド部の前記リブは、前記上段クランパが前記中段クランパに組み立てられた状態において平行な方向に互い違いに並ぶ、ことを特徴とする空気調和機の室外機。
【発明の詳細な説明】
【技術分野】
【０００１】
本発明は、ワイヤが接続される空気調和機の室外機にかかり、特に複数のワイヤを固定するワイヤクランパを有する室外機に関する。
【背景技術】
【０００２】
１台の室外機を２台以上の室内機と接続するマルチ型の空気調和機において、その室外機は、２台以上の室内機との間の例えば通信用に２本以上のワイヤを接続する必要がある。これらのワイヤは、室外機の端子板に接続した状態で抜け防止等のために端子台に固定される。そして、この固定のために、個々のワイヤごとに個別のワイヤクランパで端子台に固定する手法（特許文献１）と、全てのワイヤを束ねた１個のワイヤクランパで端子台に固定する手法と、下段クランパと上段クランパからなるワイヤクランパで個々のワイヤを挟んで個別に端子台に固定する手法（特許文献２）があった。
【０００３】
個別のワイヤクランパを使用する特許文献１の手法は、電装品箱の近傍の端子台において個々のワイヤクランパの占めるスペースを合計したスペースが大きくなり、端子台が大型化する問題があった。また、１個のワイヤクランパで全てのワイヤを束ねる手法は、２本のネジを用いて２本以上のワイヤを固定することになるため、その固定が不完全になる問題がある他に、ワイヤを位置決めする構造がないため、個々のワイヤが散らばって固定のための作業性が悪いという問題があった。さらに、下段クランパと上段クランパで個々のワイヤを挟んで固定する特許文献２の手法は、下段クランパに対して上段クランパを仮固定できないのでワイヤを挟む際の作業性が悪いという問題があった。
【先行技術文献】
【特許文献】
【０００４】
【特許文献１】特開２００７−２７８５５９号公報
【特許文献２】特開２０１１−１１７６４４号公報
【発明の概要】
【発明が解決しようとする課題】
【０００５】
本発明の目的は、端子台においてワイヤを固定するために必要なスペースを削減でき、またワイヤを固定する作業性を向上させたワイヤクランパを備えた室外機を提供することである。
【課題を解決するための手段】
【０００６】
上記目的を達成するために、請求項１にかかる発明は、複数本のワイヤが接続される空気調和機の室外機において、前記複数本のワイヤを接続する端子板と、該端子板と前記複数のワイヤを固定するワイヤクランパとが取り付けられる端子台を有し、該端子台は端子台板金を有し、前記ワイヤクランパは、前記端子台板金に取り付けられる長尺形状の下段クランパと、該下段クランパと協働して前記複数本のワイヤの内の下層ワイヤを挟持するよう前記下段クランパに押し付けられる長尺形状の中段クランパと、該中段クランパと協働して前記複数本のワイヤの内の上層ワイヤを挟持するよう前記中段クランパに押し付けられる長尺形状の上段クランパとからなり、前記下段クランパは、長手方向の両端部にそれぞれ形成されたネジ挿通用の第１の開口と、該第１の開口の間に形成された第１のガイド孔と、前記第１の開口と前記第１のガイド孔との間の上面及び隣り合う前記第１のガイド孔と前記第１のガイド孔の間の上面にそれぞれ形成された第１のワイヤガイド部とを備え、前記中段クランパは、長手方向の両端部に前記下段クランパの前記第１の開口に対応させて形成されたネジ挿通用の第２の開口と、該第２の開口の間に形成されたネジ挿通用の第３の開口と、該第３の開口の上面に形成された第２のガイド孔と、前記第３の開口の下面に突出して前記下段クランパの前記第１のガイド孔に係合するよう形成された第１のガイド筒体と、前記第２の開口と前記第３の開口の間の下面及び隣り合う前記第３の開口と前記第３の開口の間の下面にそれぞれ形成され前記下段クランパの前記第１のワイヤガイド部とで前記下層ワイヤを挟持する第２のワイヤガイド部と、隣り合う前記第３の開口と前記第３の開口の間の上面にそれぞれ形成された第３のワイヤガイド部とを備え、前記上段クランパは、長手方向の両端部に前記中段クランパの前記第３の開口に対応させて形成されたネジ挿通用の第４の開口と、該第４の開口の間に前記第３の開口に対応させて形成されたネジ挿通用の第５の開口と、該第５の開口の下面に突出して前記中段クランパの前記第２のガイド孔に係合するよう形成された第２のガイド筒体と、前記第４の開口と前記第２のガイド筒体との間の下面にそれぞれ形成され前記中段クランパの前記第３のワイヤガイド部とで前記上層ワイヤを挟持する第４のワイヤガイド部とを備える、ことを特徴とする。
【０００７】
請求項２にかかる発明は、請求項１に記載の空気調和機の室外機において、前記中段クランパの前記第１のガイド筒体は、前記下段クランパの前記第１のガイド孔に挿通されることにより、その下面が前記端子台板金の上面に当接することを特徴とする。
【０００８】
請求項３にかかる発明は、請求項１又は２に記載の空気調和機の室外機において、Ｎを３以上の自然数として前記下段クランパは前記第１のガイド孔をＮ個備え、前記中段クランパは前記第１のガイド筒体をＮ個備えるとともに前記第２のガイド孔をＮ個備え、前記上段クランパは前記第２のガイド筒体をＮ−２個備えることを特徴とする。
【０００９】
請求項４にかかる発明は、請求項１、２又は３に記載の空気調和機の室外機において、前記下段クランパは、長手方向の両端に、前記端子台板金に形成された係止孔に係止する弾性爪がそれぞれ形成されていることを特徴とする。
【００１０】
請求項５にかかる発明は、請求項１、２、３又は４に記載の空気調和機の室外機において、前記第１乃至第４のワイヤガイド部に前記長手方向に平行な方向に突出するようそれぞれリブが形成されていることを特徴とする。
【００１１】
請求項６にかかる発明は、請求項５に記載の空気調和機の室外機において、前記第１のワイヤガイド部の前記リブと前記第２のワイヤガイド部の前記リブは、前記中段クランパが前記下段クランパに組み立てられた状態において平行な方向に互い違いに並び、前記第３のワイヤガイド部の前記リブと前記第４のワイヤガイド部の前記リブは、前記上段クランパが前記中段クランパに組み立てられた状態において平行な方向に互い違いに並ぶ、ことを特徴とする。
【発明の効果】
【００１２】
本発明によれば、１個のワイヤクランパによって上層ワイヤと下層ワイヤを個別的に固定することができるので、ワイヤ固定に必要なスペースを小さくすることができる。また、下段クランパの第１のワイヤガイド部と中段クランパの第２のワイヤガイド部で上層ワイヤを挟持し、中段クランパの第３のワイヤガイド部と上段クランパの第４のワイヤガイド部で下層ワイヤを挟持するので、上層ワイヤと下層ワイヤの位置決めが容易となる。さらに、中段クランパの第１のガイド筒体が下段クランパの第１のガイド孔に係合し、上段クランパの第２のガイド筒体が中段クランパの第２のガイド孔に係合するので、ワイヤガイド部でワイヤを挟持した状態において、上段クランパを中段クランパに対して、中段クランパを下段クランパに対して、それぞれ仮固定することができ、ワイヤをワイヤクランパで固定する作業性が向上する。
【図面の簡単な説明】
【００１３】
【図１】マルチ型の室外機の正面図である。
【図２】本発明の実施例のワイヤクランパの下部端子台板金への取付状態を示す斜視図である。
【図３】本発明の実施例の下段クランパを示す図で、（ａ）は平面図、（ｂ）は正面図、（ｃ）は長手方向断面図、（ｄ）は斜視図である。
【図４】本発明の実施例の中段クランパを示す図で、（ａ）は平面図、（ｂ）は正面図、（ｃ）は底面図、（ｄ）は長手方向断面図、（ｅ）は斜視図である。
【図５】本発明の実施例の上段クランパを示す図で、（ａ）は平面図、（ｂ）は正面図、（ｃ）は底面図、（ｄ）は長手方向断面図、（ｅ）は斜視図である。
【図６】本発明の実施例のワイヤクランパの組立斜視図である。
【図７】本発明の実施例のワイヤクランパの使用状態の断面図である。
【発明を実施するための形態】
【００１４】
図１に１台の室外機に図示しない複数台の室内機が接続されるマルチ型の空気調和機における室外機１００の正面の外観を示す。室外機１００は、内部の空気を吹き出す吹出グリル１１０が設けられた前面パネル１２０の右側に、メンテナンス用の着脱自在のサービスパネル１３０が設けられ、このサービスパネル１３０の内側に、２台以上の室内機と通信を行うための２本以上の後記する通信用のワイヤが接続される。１４０は２台以上の室内機との間で接続される２組以上の配管セットの接続端部を覆う配管カバーである。
【００１５】
図２は図１におけるサービスパネル１３０を取り外して、その奥に垂直方向に配置された端子台２００を示した図である。この端子台２００は、下側に設けられた正面を向く下部端子台板金２１０と、その下部端子台板金２１０の前面２１０Ａの上部から前方（図２における手前方向）に突出するように設けられた正面を向く上部端子台板金２２０で構成されている。
【００１６】
そして、上部端子台板金２２０には、ワイヤ４００Ａ，４００Ｂ，４００Ｃのそれぞれの外被４０１を除去して露出させた３本の信号線４０２をそれぞれ接続するための３個の端子板３００Ａ，３００Ｂ，３００Ｃが取り付けられている。また、下部端子台板金２１０にも同様にワイヤ４００Ｄ，４００Ｅ，４００Ｆのそれぞれの外被４０１を除去して露出させた３本の信号線４０２をそれぞれ接続するための３個の端子板３００Ｄ，３００Ｅ，３００Ｆが取り付けられている。なお、図２ではこれら端子板３００Ｄ〜３００Ｆは一部が上部端子台板金２２０の背後に隠れている。以上の端子板３００Ａ〜３００Ｆは図示しない電装品箱に図示しない配線によって接続されている。
【００１７】
５００はワイヤ４００Ａ〜４００Ｆの外被４０１を並べてクランプするためのワイヤクランパであり、下部端子台板金２１０に取り付けられている。このワイヤクランパ５００は、４本の下層ワイヤ４００Ａ，４００Ｄ，４００Ｅ，４００Ｆのそれぞれの外被４０１を下から受ける下段クランパ５１０と、４本の下層ワイヤ４００Ａ，４００Ｄ，４００Ｅ，４００Ｆのそれぞれの外被４０１を下段クランパ５１０に対して上から押えると共に２本の上層ワイヤ４００Ｂ，４００Ｃを下から受ける中段クランパ５２０と、その２本の上層ワイヤ４００Ｅ，４００Ｆを中段クランパ５２０に対して上から押える上段クランパ５３０とを組み合わせて、ネジ６０１，６０２，６０３，６０４，６０５で下部端子台板金２１０に固定したものである。
【００１８】
図３に下段クランパ５１０を示す。下段クランパ５１０は長尺形状であり、長手方向の両端部に、上面５１０Ａから下面５１０Ｂに貫通するネジ６０１、６０５の挿通用の第１の開口５１１ａ，５１１ｂが形成され、また、第１の開口５１１ａ，５１１ｂの間の長手方向の３か所には、上面５１０Ａから下面５１０Ｂに貫通する四角形状の第１のガイド孔５１２ａ，５１２ｂ，５１２ｃが形成されている。
【００１９】
そして、上面５１０Ａにおいて、第１の開口５１１ａと第１のガイド孔５１２ａとの間にはワイヤガイド部５１３ａが形成され、第１のガイド孔５１２ａと第１のガイド孔５１２ｂとの間にはワイヤガイド部５１３ｂが形成され、第１のガイド孔５１２ｂと第１のガイド孔５１２ｃとの間にはワイヤガイド部５１３ｃが形成され、第１のガイド孔５１２ｃと第１の開口５１１ｂとの間にはワイヤガイド部５１３ｄが形成されている。これらのワイヤガイド部５１３ａ〜５１３ｄは請求項記載の第１のワイヤガイド部である。
【００２０】
また、第１のワイヤガイド部５１３ａ，５１３ｂ，５１３ｃ，５１３ｄには、それぞれ下段クランパ５１０の長手方向に沿って上向きに突出した第１のリブ５１４ａ，５１４ｂ，５１４ｃ，５１４ｄが、それぞれ３本ずつ平行に、長手方向と直交する方向に並ぶように形成されている。
【００２１】
また、下段クランパ５１０の長手方向の両端には、下面５１０Ｂから下方に突出するよう形成された弾性爪５１５ａ、５１５ｂがそれぞれ形成されている。
【００２２】
図４に中段クランパ５２０を示す。この中段クランパ５２０は下段クランパ５１０に対応した大きさの長尺形状であり、長手方向の両端部に上面５２０Ａから下面５２０Ｂに貫通するネジ６０１，６０５の挿通用の第２の開口５２１ａ，５２１ｅが形成され、また、第２の開口５２１ａ，５２１ｅの間の長手方向の３か所にも上面５２０Ａから下面５２０Ｂに貫通する第３の開口５２１ｂ，５２１ｃ，５２１ｄが形成されている。第２の開口５２１ａ，５２１ｅは下段クランパ５１０の第１の開口５１１ａ，５１１ｅにそれぞれ対応して設けられ、第３の開口５２１ｂ，５２１ｃ，５２１ｄは下段クランパ５１０の第１のガイド孔５１２ａ，５１２ｂ，５１２ｃにそれぞれ対応して設けられている。
【００２３】
そして、上面５２０Ａにおいて、第３の開口５２１ｂ，５２１ｃ，５２１ｄの周囲には、第２のガイド孔５２２ａ，５２２ｂ，５２２ｃが形成されている。また、第２のガイド孔５２２ａと第２のガイド孔５２２ｂとの間にはワイヤガイド部５２３ａが形成され、第２のガイド孔５２２ｂと第２のガイド孔５２２ｃとの間にはワイヤガイド部５２３ｂが形成されている。これらワイヤガイド部５２３ａ，５２３ｂは請求項記載の第３のワイヤガイド部である。
【００２４】
また、第３のワイヤガイド部５２３ａ，５２３ｂには、それぞれ中段クランパ５２０の長手方向に沿って上向きに突出した第３のリブ５２４ａ，５２４ｂが、それぞれ３本ずつ平行に、長手方向と直交する方向に並ぶように形成されている。
【００２５】
一方、下面５２０Ｂにおいて、第３の開口５２１ｂ、５２１ｃ，５２１ｄの周囲には、四角形状の第１のガイド筒体５２５ａ，５２５ｂ，５２５ｃが下方に突出するよう形成されている。この第１のガイド筒体５２５ａ，５２５ｂ，５２５ｃは下段クランパ５１０の第１のガイド孔５１２ａ，５１２ｂ，５１２ｃに係合可能な大きさである。
【００２６】
そして、第２の開口５２１ａと第１のガイド筒体５２５ａとの間にはワイヤガイド部５２６ａが形成され、第１のガイド筒体５２５ａと第１のガイド筒体５２５ｂとの間にはワイヤガイド部５２６ｂが形成され、第１のガイド筒体５２５ｂと第１のガイド筒体５２５ｃとの間にはワイヤガイド部５２６ｃが形成され、第１のガイド筒体５２５ｃと第２の開口５２１ｅとの間にはワイヤガイド部５２６ｄが形成されている。これらワイヤガイド部５２６ａ〜５２６ｄは請求項記載の第２のワイヤガイド部である。
【００２７】
また、第２のワイヤガイド部５２６ａ，５２６ｂ，５２６ｃ，５２６ｄには、それぞれ中段クランパ５２０の長手方向に沿って下向きに突出した第２のリブ５２７ａ，５２７ｂ，５２７ｃ，５２７ｄが、それぞれ２本ずつ平行に、長手方向と直交する方向に並ぶように形成されている。
【００２８】
これらの第２のリブ５２７ａ，５２７ｂ，５２７ｃは、中段クランパ５２０を下段クランパ５１０に組み込んだ際に、中段クランパ５２０の上面５２０Ａからみて、その下段クランパ５１０の第１のリブ５１４ａ，５１４ｂ，５１４ｃ，５１４ｄと平行な方向に、それらリブ５１４ａ，５１４ｂ，５１４ｃ，５１４ｄと互い違いに並ぶように形成されている。
【００２９】
また、中段クランパ５２０の長手方向に平行な両側面には、指で摘むための摘み板５２８ａ，５２８ｂがそれぞれ形成されていて、第３のワイヤガイド部５２３ａに対応する部分には切欠き部５２８ａ１，５２８ｂ１が、第３のワイヤガイド部５２３ｂに対応する部分には切欠き部５２８ａ２，５２８ｂ２が、それぞれ形成されている。
【００３０】
図５に上段クランパ５３０を示す。この上段クランパ５３０は中段クランパ５２０よりも短い長尺形状であり、長手方向の両端部に上面５３０Ａから下面５３０Ｂに貫通するネジ６０２，６０４の挿通用の第４の開口５３１ａ，５３１ｃが形成され、またその第４の開口５３１ａ，５３１ｃの間にも上面５２０Ａから下面５２０Ｂに貫通する第５の開口５３１ｂが形成されている。第４の開口５２１ａ，５２１ｃは中段クランパ５２０の第３の開口５２１ｂ，５２１ｄにそれぞれ対応して設けられている。第５の開口５３１ｂは中段クランパ５２０の第３の開口５２１ｃに対応して設けられている。
【００３１】
一方、下面５３０Ｂにおいて、第５の開口５３１ｂの周囲には、四角形状の第２のガイド筒体５３２ａが下方に突出するよう形成されている。このガイド筒体５３２ａは中段クランパ５２０の第２のガイド孔５２２ｂに係合可能な大きさである。この第２のガイド筒体５３２ａの下面５３２ａ１は第４の開口５３１ａ，５３１ｃの縁の下面５３１ａ１，５３１ｃ１と同じレベルになっている。
【００３２】
そして、第４の開口５３１ａと第２のガイド筒体５３２ａとの間にはワイヤガイド部５３３ａが形成され、第２のガイド筒体５３２ａと第４の開口５３１ｃとの間にはワイヤガイド部５３３ｂが形成されている。これらワイヤガイド部５３３ａ，５３３ｂは請求項記載の第４のワイヤガイド部である。
【００３３】
また、第４のワイヤガイド部５３３ａ，５３３ｂには、それぞれ上段クランパ５３０の長手方向に平行に並ぶように下向きに突出した第４のリブ５３４ａ，５３４ｂが、それぞれ２本ずつ形成されている。これらの第４のリブ５３４ａ，５３４ｂは、上段クランパ５３０を中段クランパ５２０に組み込んだ際に、上段クランパ５３０の上面５３０Ａからみて、その中段クランパ５２０の第３のリブ５２４ａ，５２４ｂと平行な方向に、リブ５２４ａ，５２４ｂと互い違いに並ぶように形成されている。
【００３４】
また、上段クランパ５３０の長手方向に平行な両側面には、指で摘むための摘み板５３５ａ，５３５ｂがそれぞれ形成されている。
【００３５】
さて、このワイヤクランパ５００を下部端子台板金２１０に取り付けてワイヤ４００Ａ〜４００Ｆを固定するには、図６及び図７に示すように、まず、下段クランパ５１０の弾性爪５１５ａ，５１５ｂを下部端子台板金２１０に形成された係止孔２１１ａ，２１１ｂに係止する。これにより、下段クランパ５１０が下部端子台板金２１０に横向きで仮止めされる。
【００３６】
次に、仮止めされた下段クランパ５１０の上面５１０Ａの第１のワイヤガイド部５１３ａ，５１３ｂ，５１３ｃ，５１３ｄのそれぞれに、下層ワイヤ４００Ａ，４００Ｄ，４００Ｅ，４００Ｆの外被４０１を押し付ける。これにより、下層ワイヤ４００Ａ，４００Ｄ，４００Ｅ，４００Ｆが第１のワイヤガイド部５１３ａ，５１３ｂ，５１３ｃ，５１３ｄ内に位置決めされる。
【００３７】
次に、このように位置決めされた下層ワイヤ４００Ａ，４００Ｄ，４００Ｅ，４００Ｆの上から、中段クランパ５２０の下面５２０Ｂを押し付ける。このとき、中段クランパ５２０の第１のガイド筒体５２５ａが下段クランパ５１０の第１のガイド孔５１２ａに挿入されて係合され、中段クランパ５２０の第１のガイド筒体５２５ｂが下段クランパ５１０の第１のガイド孔５１２ｂに挿入されて係合され、中段クランパ５２０第１のガイド筒体５２５ｃが下段クランパ５１０の第１のガイド孔５１２ｃに挿入されて係合されるので、中段クランパ５２０が下段クランパ５１０に対して仮止めされ、その位置決め作業が容易となる。
【００３８】
以上の結果、中段クランパ５２０の第２のワイヤガイド部５２６ａと下段クランパ５１０の第１のワイヤガイド部５１３ａがワイヤ４００Ａを挟んで、中段クランパ５２０の第２のワイヤガイド部５２６ｂと下段クランパ５１０の第１のワイヤガイド部５１３ｂがワイヤ４００Ｄを挟んで、中段クランパ５２０の第２のワイヤガイド部５２６ｃと下段クランパ５１０の第１のワイヤガイド部５１３ｃがワイヤ４００Ｅを挟んで、中段クランパ５２０の第２のワイヤガイド部５２６ｄと下段クランパ５１０の第１のワイヤガイド部５１３ｄがワイヤ４００Ｆを挟んで、それぞれ対面するようになる。
【００３９】
このとき、中段クランパ５２０の下面５２０Ｂの２本のリブ５２７ａと下段クランパ５１０の上面５１０Ａの３本のリブ５１４ａは、中段クランパ５２０の上面５２０Ａからみて平行な方向に互い違いに並ぶので、その部分でのワイヤ４００Ａの外被４０１は、第２のリブ５２７ａと第１のリブ５１４ａとにより上下から挟持される。同様に、中段クランパ５２０の下面５２０Ｂの２本のリブ５２７ｂと下段クランパ５１０の上面５１０Ａの３本のリブ５１４ｂも、中段クランパ５２０の上面５２０Ａからみて平行な方向に互い違いに並ぶので、その部分でのワイヤ４００Ｄの外被４０１は、第２のリブ５２７ｂと第１のリブ５１４ｂとにより上下から挟持される。同様に、中段クランパ５２０の上面５２０Ａの２本のリブ５２７ｃと下段クランパ５１０の下面５１０Ｂの３本のリブ５１４ｃも、中段クランパ５２０の上面５２０Ａからみて平行な方向に互い違いに並ぶので、その部分でのワイヤ４００Ｅの外被４１０は、第２のリブ５２７ｃと第１のリブ５１４ｃとにより上下から挟持される。同様に、中段クランパ５２０の下面５２０Ｂの２本のリブ５２７ｄと下段クランパ５１０の下面５１０Ｂの３本のリブ５１４ｄも、中段クランパ５２０の上面５２０Ａからみて平行な方向に互い違いに並ぶので、その部分でのワイヤ４００Ｆの外被４１０は、第２のリブ５２７ｄと第１のリブ５１４ｄとにより上下から挟持される。
【００４０】
次に、中段クランパ５２０の上面５２０Ａの第３のワイヤガイド部５２３ａ，５２３ｂに上層ワイヤ４００Ｂ，４００Ｃをそれぞれ押し付ける。これにより、上層ワイヤ４００Ｂ，４００Ｃが第３のワイヤガイド部５２３ａ，５２３ｂ内に位置決めされる。このとき、ワイヤ４００Ｂは切欠き部５２８ａ１、５２８ｂ１に位置し、ワイヤ４００Ｃは切欠き部５２８ａ２、５２８ｂ２に位置する。
【００４１】
次に、このように位置決めされた上層ワイヤ４００Ｂ，４００Ｃの上から、上段クランパ５３０の下面５３０Ｂを押し付ける。このとき、上段クランパ５３０の第２のガイド筒体５３２が中段クランパ５２０の第２のガイド孔５２２ｂに挿入されて係合され、上段クランパ５３０の開口５３１ａ，５３１ｃの縁の下面５３１ａ１，５３１ｃ１が中段クランパ５２０の第２のガイド孔５２２ａ，５２２ｃに位置するので、上段クランパ５３０が中段クランパ５２０に対して仮止めされ、その位置決め作業が容易となる。
【００４２】
以上の結果、上段クランパ５３０の第４のワイヤガイド部５３３ａと中段クランパ５２０の第３のワイヤガイド部５２３ａがワイヤ４００Ｂを挟んで、上段クランパ５３０の第４のワイヤガイド部５３３ｂと中段クランパ５２０の第３のワイヤガイド部５２３ｂがワイヤ４００Ｃを挟んで、それぞれ対面するようになる。
【００４３】
このとき、上段クランパ５３０の２本のリブ５３４ａと中段クランパ５２０の３本のリブ５２４ａは、上段クランパ５３０の上面５３０Ａから見て平行な方向に互い違いに並ぶので、その部分でのワイヤ４００Ｂの外被４０１は、第３のリブ５２４ａと第４のリブ５３４ａにより上下から挟持される。同様に、上段クランパ５３０の２本のリブ５３４ｂと中段クランパ５２０の３本のリブ５２４ｂは上段クランパ５３０の上面５３０Ａから見て平行な方向に互い違いに並ぶので、その部分でのワイヤ４００Ｃの外被４０１は、第３のリブ５２４ｂと第４のリブ５３４ｂにより上下から挟持される。
【００４４】
以上の結果、下段クランパ５１０の第１の開口５１１ａ，５１１ｂは、中段クランパ５２０の第２の開口５２１ａ，５２１ｅとそれぞれ連通する。そこで、開口５１１ａ，５２１ａにネジ６０１を挿通して下部端子台板金２１０のネジ穴２１２ａに螺合させる。また、開口５１１ｂ，５２１ｅにネジ６０５を挿通して下部端子台板金２１０のネジ穴２１２ｅに螺合させる。
【００４５】
また、下段クランパ５１０の第１のガイド孔５１２ａ，５１２ｂ，５１２ｃは、中段クランパ５２０の第３の開口５２１ｂ，５２１ｃ，５２１ｄ、上段クランパ５３０の第４の開口５３１ａ，５３１ｃ、第５の開口５３１ｂとそれぞれ連通する。そこで、第１のガイド孔５１２ａ、第３の開口５２１ｂ、第４の開口５３１ａにネジ６０２を挿通して下部端子台板金２１０のネジ穴２１２ｂに螺合させる。また、第１のガイド孔５１２ｂ、第３の開口５２１ｃ、第５の開口５３１ｂにネジ６０３を挿通して下部端子台板金２１０のネジ穴２１２ｃに螺合させる。さらに、第１のガイド孔５１２ｃ、第３の開口５２１ｄ、第４の開口５３１ｃにネジ６０４を挿通して下部端子台板金２１０のネジ穴２１２ｄに螺合させる。
【００４６】
以上によって、上部端子台板金２２０の端子台３００Ａ，３００Ｂ，３００Ｃに接続される３本のワイヤ４００Ａ，４００Ｂ，４００Ｃを、下段クランパ５１０と中段クランパ５２０と上段クランパ５３０とによって、その下部端子台板金２１０に固定することができる。また、下部端子台板金２１０の端子台３００Ｄ，３００Ｅ，３００Ｆに接続される３本のワイヤ４００Ｄ，４００Ｅ，４００Ｆを、下段クランパ５１０と中段クランパ５２０とによって、その下部端子台板金２１０に固定することができる。
【００４７】
このとき、中段クランパ５２０の第１のガイド筒体５２５ａ，５２５ｂ，５２５ｃの下面５２５ａ１，５２５ｂ１，５２５ｃ１が下部端子台板金２１０の上面２１０Ａに当接する。また、上段クランパ５３０の第２のガイド筒体５３２ａの下面５３２ａ１が中段クランパ５２０の第２のガイド孔５２２ｂの底面５２２ｂ１に当接すると共に、上段クランパ５３０の第４の開口５３１ａ，５３１ｃの縁の下面５３１ａ１，５３１ｃ１が中段クランパ５２０の第２のガイド孔５２２ａ，５２２ｃの底面５２２ａ１，５２２ｃ１に当接する。
【００４８】
以上から本実施例によれば、ワイヤクランパ５００の高さ方向にワイヤ４００Ａ〜４００Ｆを２層構造で固定するので、横方向のサイズを小さくすることができ、小型化が可能となり、ワイヤ固定に必要なスペースを小さくすることができる。また、ワイヤを１本ごとに個別のワイヤクランパで固定する場合は、１本のワイヤに２個のネジが必要であったので６本のワイヤで１２本のネジが必要となっていたが、本実施例では６本のワイヤ４００Ａ〜４００Ｆを５個のネジ６０１〜６０５で固定することができる。
【００４９】
また、下段クランパ５１０には第１のワイヤガイド部５１３ａ〜５１３ｃが形成され、中段クランパ５２０には第２のワイヤガイド部５２６ａ〜５２６ｄ、第３のワイヤガイド部５２３ａ〜５２３ｂが形成され、上段クランパ５３０には第４のワイヤガイド部５３３ａ，５３３ｂが形成されているので、そこにワイヤの外被４０１をガイドさせることができ、ワイヤが正規位置からずれてしまうことを防ぐことができ、ワイヤ仮止めの作業性が向上する。
【００５０】
また、中段クランパ５２０は、第１のガイド筒体５２２ａ〜５２２ｃの下面５２２ａ１〜５２２ｃ１が下段クランパ５１０の第１のガイド孔５１２ａ〜５１２ｃを経由して、上部端子台板金２１０の上面２１０Ａに直接当接するので、下層ワイヤ４００Ａ，４００Ｄ〜４００Ｆに過度の圧力が加わることはない。このとき、その下層ワイヤ４００Ａ，４００Ｄ〜４００Ｆは、下段クランパ５１０のリブ５１４ａ〜５１４ｄと中段クランパ５２０のリブ５２７ａ〜５２７ｄで所定の圧力で挟持され、確実に固定される。
【００５１】
また、上段クランパ５３０は、第２のガイド筒体５３２ａの下面５３２ａ１が中段クランパ５２０の第２のガイド孔５２２ｂの底面５２２ｂ１に直接当接し、開口５３１ａ，５３１ｃの縁の下面５３１ａ１，５３１ｃ１が中段クランパ５２０の第２のガイド孔５２２ａ，５２２ｃの底面５２２ａ１，５２２ｃ１に直接当接するので、上層ワイヤ４００Ｂ，４００Ｃに過度の圧力が加わることはない。このとき、その上層ワイヤ４００Ｂ，４００Ｃは、中段クランパ５２０のリブ５２４ａ，５２４ｂと上段クランパ５３０のリブ５３４ａ，５３４ｂで所定の圧力で挟持され、確実に固定される。
【００５２】
なお、以上説明した実施例では、下段クランパ５１０と中段クランパ５２０で４本の下層ワイヤ４００Ａ，４００Ｄ〜４００Ｆをクランプし、中段クランパ５２０と上段クランパ５３０で２本の上層ワイヤ４００Ｂ，４００Ｃをクランプしたが、より発展させることにより、下段クランパ５１０と中段クランパ５２０でクランプするワイヤの数Ｎ本と、中段クランパ５２０と上段クランパ５３０でクランプするワイヤの本数Ｍ本の関係は、Ｍ＝Ｎ＋２（Ｎは１以上の自然数）となる。また、ケーブルとしては、通信用に限られず電源用等でもよい。
【符号の説明】
【００５３】
１００：マルチ型の室外機、１１０：吹出グリル、１２０：前面パネル、１３０：サービスパネル、１４０：配管カバー
２００：端子台、２１０：下部端子台板金、２１０Ａ：上面、２１１ａ，２１１ｂ：係止孔、２１２ａ〜２１２ｅ：ネジ穴、２２０：上部端子台板金
３００Ａ〜３００Ｆ：端子板
４００Ａ〜４００Ｆ：ワイヤ、４０１：外被、４０２：信号線
５００：ワイヤクランパ
５１０：下段クランパ、５１０Ａ：上面、５１０Ｂ：下面、５１１ａ，５１１ｅ：第１の開口、５１２ａ〜５１２ｃ：第１のガイド孔、５１３ａ〜４１３ｄ：第１のワイヤガイド部、５１４ａ〜５１４ｅ：第１のリブ、５１５ａ，５１５ｂ：弾性爪
５２０：中段クランパ、５２０Ａ：上面、５２０Ｂ：下面、５２１ａ，５２１ｅ：第２の開口、５２１ｂ〜５２１ｄ：第３の開口、５２２ａ〜５２２ｃ：第２のガイド孔、５２２ａ１〜５２２ｃ１：底面、５２３ａ，５２３ｂ：第３のワイヤガイド部、５２４ａ，５２４ｂ：第３のリブ、５２５ａ〜５２５ｃ：第１のガイド筒体、５２５ａ１〜５２５ｃ１：下面、５２６ａ〜５２６ｄ：第２のワイヤガイド部、５２７ａ〜５２７ｄ：第２のリブ、５２８ａ，５２８ｂ：摘み板、５２８ａ１，５２８ａ２，５２８ｂ１，５２８ｂ２：切欠き部
５３０：上段クランパ、５３０Ａ：上面、５３０Ｂ：下面、５３１ａ，５３１ｃ：第４の開口、５３１ａ１，５３１ｃ１：下面、５３１ｂ：第５の開口、５３２ａ：第２のガイド筒体、５３２ａ１：下面、５３３ａ，５３３ｂ：第４のワイヤガイド部、５３４ａ，５３４ｂ：第４のリブ、５３５ａ，５３５ｂ：摘み板
６０１〜６０５：ネジ
【図１】
0006569513.tif 000002
【図２】
0006569513.tif 000003
【図３】
0006569513.tif 000004
【図４】
0006569513.tif 000005
【図５】
0006569513.tif 000006
【図６】
0006569513.tif 000007
【図７】
0006569513.tif 000008